(57)【要約】【課題】基礎工事を不要として水と共に流れる石、木材を捕捉し水を通す流下物捕捉体を提供する。【解決手段】地面に載置されて上流側から流れる岩石、流木等の流下物を捕捉する流下物捕捉体１は、６本のフレーム部材１０により正三角形の枠形状に形成された正四面体により構成され、枠形状の４面のいずれか一面を地面に載置する底面枠部とし、他の３面を前記底面枠部に対して上方に突出した流下物の捕捉面をなす捕捉面枠部とした。【選択図】図１
2019138121.tif 000002
【特許請求の範囲】
【請求項１】
地面に載置されて上流側から供給される岩石、流木等の流下物を捕捉する流下物捕捉体であって、
枠形状に形成された四面体により構成され、枠形状の４面のいずれか一面を地面に載置する底面枠部とし、他の３面を前記底面枠部に対して上方に突出した流下物の捕捉面をなす捕捉面枠部としたことを特徴とする流下物捕捉体。
【請求項２】
前記枠形状に形成された四面体は、前記底面枠部を構成する３本の底面用のフレーム部材と、前記３面の捕捉面枠部を構成する３本の捕捉面用のフレーム部材とを有し、前記３本の底面用のフレーム部材は、一本の底面用のフレーム部材の両端に他の底面用のフレーム部材の端部同士が突き合せされて枠形状の三角形が形成され、前記３面の捕捉面枠部は、前記各捕捉面用のフレーム部材の一端が前記底面用のフレーム部材の各突き合せされた底面側の突き合せ部に突き合せされ、前記各捕捉面用のフレーム部材の他端が頂部側の突き合せ部に互いに突き合せされていることを特徴とする請求項１に記載の流下物捕捉体。
【請求項３】
前記四面体は、正四面体であることを特徴とする請求項１または２に記載の流下物捕捉体。
【請求項４】
前記四面体の頂面を尖らせていることを特徴とする請求項１から３のいずれかに記載の流下物捕捉体。
【請求項５】
前記底面用のフレーム部材と前記捕捉面用のフレーム部材は、ウエブの高さ方向上下端に上フランジと下フランジをそれぞれ形成したＩ型鋼またはＨ型鋼により構成したことを特徴とする請求項２または３に記載の流下物捕捉体。
【請求項６】
前記底面用のフレーム部材と前記捕捉用のフレーム部材は、両端が同一形状の前記突き合せ部に形成されていて、前記突き合せ部は、前記ウエッブの先端が長手方向に対して第１の傾斜角度に傾斜するウエッブ傾斜辺と、前記上下のフランジ部の先端が幅方向において左右対称に第２の傾斜角度に傾斜するフランジ傾斜辺を有することを特徴とする請求項５に記載の流下物捕捉体。
【請求項７】
前記突き合せ部は、隣り合う前記フレーム部材同士を連結し、前記フレーム部材を挟持するように設けられた締結板同士をボルト・ナットにより締結することで固定されることを特徴とする請求項２から６のいずれかに記載の流下物捕捉体。
【請求項８】
前記底面枠部には、アンカーボルトの上端部が装入されるアンカーボルト孔が形成されていることを特徴とする請求項１から７のいずれかに記載の流下物捕捉体。
【請求項９】
治山対象に、請求項１から８のいずれかに記載の落下物捕捉体を一又は幅方向に複数設置したことを特徴とする治山工法。
【請求項１０】
前記落下物捕捉体の下流側に、前記一又は並設される複数の流下物捕捉体に対して、水を通過させるが土砂を非通過とするフィルターを一又は並設して複数設置し、前記一又は並設される複数のフィルターと前記一又は複数の落下物捕捉体との間に非通過の土砂を堆積させる空間を形成したことを特徴とする請求項９に記載の治山工法。
【請求項１１】
前記並設される複数の流下物捕捉体は、隣接する流下物捕捉体同士を連結部材で連結したことを特徴とする請求項９または１０に記載の治山工法。
【請求項１２】
前記一つの流下物捕捉体又は並設される複数の前記流下物捕捉体と、前記流下物捕捉体に対応して設置される一又は複数のフィルターとを一組の流下物捕捉システムとし、前記流下物捕捉システムを上流側から下流側に向けて複数設置したことを特徴とする請求項１０または１１に記載の治山工法。
【請求項１３】
請求項９から１２のいずれかに記載の流下物捕捉体を第１の流下物捕捉体とし、前記第１の流下物捕捉体の上流側に、請求項１から４のいずれかに記載の流下物捕捉体を木製とした第２の流下物捕捉体を設置したことを特徴とする請求項９から１２のいずれかに記載の治山工法。
【請求項１４】
前記流下物捕捉体は、底面枠部における三角形の角部を上流側または下流側に向けて設置したことを特徴とする請求項９から１３のいずれかに記載の治山工法。
【請求項１５】
並設される複数の前記流下物捕捉体を主流下物捕捉体とし、隣接する前記主流下物捕捉体の間に形成される領域に、前記流下物捕捉体と同構造の副流下物捕捉体を設置したことを特徴とする請求項９から１４のいずれかに記載の治山工法。
【発明の詳細な説明】
【技術分野】
【０００１】
本発明は、流水により移動する岩石、流木等の流下物を捕捉する技術に関する。
【背景技術】
【０００２】
一般に、治山等を目的として種々の堰堤が提案されている。このような堰堤において、水と共に移動する石や流木等の流下物を捕捉する流下物捕捉体として堰堤構造体がある。堰堤構造体として、例えば鋼製パイプやＬ型鋼等のフレーム部材を用いたスリット堰堤が知られている（特許文献１、２）。このスリット堰堤は、四辺形の枠体内に複数の桟部材を縦方向に間隔を有したスリット枠を下流側に向けて傾斜配置し、スリット枠を下流側で支持フレームにより支持する。スリット堰堤は、スリット枠の下部と支持フレームの下部がコンクリート製の基盤内に埋設されて固定される。
【０００３】
スリット堰堤は、コンクリート製の左右の堰堤部の間に形成される隙間に配置される。また、このような堰堤は、一般に山地、山岳地形の河川の下流域に配置されることが多い。大雨が降って河川の上流に雨水が流れ込むと、流水は岩や流木を巻き込んで上流側から下流側に勢いよく土石流となって流れ落ちることがある。このスリット堰堤に土石流が達すると、岩、流木がスリット堰堤に捕捉され、泥水はスリット枠内を通り抜ける。
【０００４】
このような堰堤は、岩、流木が堰堤位置よりもさらに下流側に移動するのを阻止し、土石流による災害の発生を未然に防止する。
【０００５】
ところで、堰堤を造る工事は大規模な土木工事となり、施工の開始から完成まで長期間を要する。特に、スリット堰堤は、予め組み立てられた状態で施工現場に運び込まれ、クレーン等で所定位置に載置しても、その後コンクリートの打ち込みなどの基礎工事を必要とする。このため、降雨量の少ない時期を選んで施工しなければならない。
【０００６】
また、クレーン等の重機械が使用できる施工現場は、重機械を運び入れる必要があるために、トラック等が通行できる林道等の道路が延びている場所に限られ、必要に応じて作業道路を建設することが多い。
【０００７】
一方、スリット堰堤は、長さ、形状等のサイズが異なる複数のフレーム部材を組み合わせた構造としている。このため、一つのスリット堰堤のためにサイズが異なる複数のフレーム部材を用意しなければならない。また、スリット堰堤を施工現場で組み立てる場合、各フレーム部材間の締結方法が一様ではないため、組み立て作業が煩雑化する。
【先行技術文献】
【特許文献】
【０００８】
【特許文献１】特開２０１３−１１７１１８号公報
【特許文献２】特開２０１４−１７３２３２号公報
【発明の概要】
【発明が解決しようとする課題】
【０００９】
ところで、土壌浸食痕の一つで、地表の流水による溝状の浸食で深さ30cm未満のもの（沢の源頭部など、地形的に集水するものは除く）を「リル」といい、「リル」がさらに発達した溝状の浸食で深さ30cm以上に達したもの（沢の源頭部など地形的に集水するもの、常に流水があるものは除く）を「ガリー」という。
【００１０】
一般に、山頂や尾根付近の山肌が火山活動や気象災害等で荒れると、降雨によって、山腹斜面が浸食されリル化し、さらにＶ字状に深い溝（ガリー）が形成されることがある。
【００１１】
ガリーが深くなるにつれてガリーの両壁面も削られ、ガリーの幅が拡がる。流水と共に岩石や倒木も下流に向かって流れ下る。ガリーの深さが浅い段階では石礫等の小さいサイズの石が流れ、ガリーが深くなるにつれて、大きな岩が掘り出され、土石流となって流れ下る。
【００１２】
したがって、山腹一帯において、ガリーがまだ浅い段階で、土石礫の流下を軽減することができれば、ガリーの拡大進行とともに下流域への影響を低減することができる。
【００１３】
しかしながら、従来のスリット堰堤は、コンクリートの打設による基礎工事を伴って設置する構造であり、ガリー等の治山対象地に載置するだけで施工できることを前提としたものではない。また、従来のスリット堰堤は、長さ、形状等のサイズが異なる複数のフレーム部材を組み合わせた構造としているが、同一サイズのフレーム部材で構成できれば、コストダウンが図れ、一通りの締結方法での組み立て作業が可能となる。
【００１４】
一方、岩石、砂礫、流木等が流下するのを食い止めるだけでなく、植生の回復を図って環境を保全し、治山することが望まれる。
【００１５】
本発明の第１の目的は、基礎工事を不要として水と共に流れる石、木材を捕捉し水を通す流下物捕捉体を提供しようとするものである。
【００１６】
本発明の第２の目的は、流下物を有効に捕捉でき、しかも植生の回復が図れる治山工法を提供しようとするものである。
【課題を解決するための手段】
【００１７】
本発明の第１の目的を実現する流下物捕捉体の第１の構成は、地面に載置されて上流側から供給される岩石、流木等の流下物を捕捉する流下物捕捉体に関する。この流下物捕捉体は、枠形状に形成された四面体により構成され、枠形状の４面のいずれか一面を地面に載置する底面枠部とし、他の３面を前記底面枠部に対して上方に突出した流下物の捕捉面をなす捕捉面枠部としたことを特徴とする。
【００１８】
本発明の第１の目的を実現する流下物捕捉体の第２の構成は、上記した第１の構成において、前記枠形状に形成された四面体は、前記底面枠部を構成する３本の底面用のフレーム部材と、前記３面の捕捉面枠部を構成する３本の捕捉面用のフレーム部材とを有し、前記３本の底面用のフレーム部材は、一本の底面用のフレーム部材の両端に他の底面用のフレーム部材の端部同士が突き合せされて枠形状の三角形が形成され、前記３面の捕捉面枠部は、前記各捕捉面用のフレーム部材の一端が前記底面用のフレーム部材の各突き合せされた底面側の突き合せ部に突き合せされ、前記各捕捉面用のフレーム部材の他端が頂部側の突き合せ部に互いに突き合せされていることを特徴とする。
【００１９】
本発明の第１の目的を実現する流下物捕捉体の第３の構成は、上記したいずれかの構成において、前記四面体は、正四面体であることを特徴とする。
【００２０】
本発明の第１の目的を実現する流下物捕捉体の第４の構成は、上記したいずれかの構成において、前記四面体の頂面を尖らせていることを特徴とする。
【００２１】
本発明の第１の目的を実現する流下物捕捉体の第５の構成は、上記した第２または第３の構成において、前記底面用のフレーム部材と前記捕捉面用のフレーム部材は、ウエブの高さ方向上下端に上フランジと下フランジをそれぞれ形成したＩ型鋼またはＨ型鋼により構成したことを特徴とする。
【００２２】
本発明の第１の目的を実現する流下物捕捉体の第６の構成は、上記した第５の構成において、前記底面用のフレーム部材と前記捕捉用のフレーム部材は、両端が同一形状の前記突き合せ部に形成されていて、前記突き合せ部は、前記ウエッブの先端が長手方向に対して第１の傾斜角度に傾斜するウエッブ傾斜辺と、前記上下のフランジ部の先端が幅方向において左右対称に第２の傾斜角度に傾斜するフランジ傾斜辺を有することを特徴とする。
【００２３】
本発明の第１の目的を実現する流下物捕捉体の第７の構成は、上記した第２から第６のいずれかの構成において、前記突き合せ部は、隣り合う前記フレーム部材同士を連結し、前記フレーム部材を挟持するように設けられた締結板同士をボルト・ナットにより締結することで固定されることを特徴とする。
【００２４】
本発明の第１の目的を実現する流下物捕捉体の第８の構成は、上記したいずれかの構成において、前記底面枠部には、アンカーボルトの上端部が装入されるアンカーボルト孔が形成されていることを特徴とする。
【００２５】
本発明の第２の目的を実現する治山工法の第１の構成は、治山対象に、上記したいずれかの構成の落下物捕捉体を一又は幅方向に複数設置したことを特徴とする。
【００２６】
本発明の第２の目的を実現する治山工法の第２の構成は、上記した治山工法の第１の構成において、前記落下物捕捉体の下流側に、前記一又は並設される複数の流下物捕捉体に対して、水を通過させるが土砂を非通過とするフィルターを一又は並設して複数設置し、前記一又は並設される複数のフィルターと前記一又は複数の落下物捕捉体との間に非通過の土砂を堆積させる空間を形成したことを特徴とする。
【００２７】
本発明の第２の目的を実現する治山工法の第３の構成は、上記した治山工法のいずれかの構成において、前記並設される複数の流下物捕捉体は、隣接する流下物捕捉体同士を連結部材で連結したことを特徴とする。
【００２８】
本発明の第２の目的を実現する治山工法の第４の構成は、上記した治山工法の第２または第３の構成において、前記一つの流下物捕捉体又は並設される複数の前記流下物捕捉体と、前記流下物捕捉体に対応して設置される一又は複数のフィルターとを一組の流下物捕捉システムとし、前記流下物捕捉システムを上流側から下流側に向けて複数設置したことを特徴とする。
【００２９】
本発明の第２の目的を実現する治山工法の第５の構成は、上記した治山工法のいずれかの構成において、上記治山工法のいずれかの流下物捕捉体を第１の流下物捕捉体とし、前記第１の流下物捕捉体の上流側に、上記流下物捕捉体の第１から第４のいずれかの構成の流下物捕捉体を木製とした第２の流下物捕捉体を設置したことを特徴とする。
【００３０】
本発明の第２の目的を実現する治山工法の第６の構成は、上記した治山工法のいずれかの構成において、前記流下物捕捉体は、底面枠部における三角形の角部を上流側または下流側に向けて設置したことを特徴とする。
【００３１】
本発明の第２の目的を実現する治山工法の第７の構成は、上記した治山工法のいずれかの構成において、並設される複数の前記流下物捕捉体を主流下物捕捉体とし、隣接する前記主流下物捕捉体の間に形成される領域に、前記流下物捕捉体と同構造の副流下物捕捉体を設置したことを特徴とする。
【発明の効果】
【００３２】
本発明に係る流下物捕捉体によれば、地面に載置するだけで、降雨により流れ下る岩石や流木を捕捉し、例えばガリーの浸食を食い止めることができる。このため、設置場所でコンクリート打ちなどの基礎工事が不要となり、安価でしかも短期間に流下物捕捉体を目的の場所に設置することができる。
【００３３】
また、四面体の枠形状に構成しているので、頑強で、軽量化が図れる。
【００３４】
請求項２に係る発明によれば、６本のフレーム部材で流下物捕捉体を構成することができる。また、一のフレーム部材の端部は、隣接するフレーム部材の端部と付き合わされているので、流下物捕捉体に巨岩が衝突しても各フレーム部材に衝撃力が略均等に分散するため、流下物捕捉体の破損を招くことなく岩石の捕捉が行える。
【００３５】
請求項３に係る発明によれば、流下物捕捉体を正四面体とすることで、４面のいずれの面も底面とすることができ、設置する際の面の向きを間違えることがない。また、各面を構成するフレーム部材の長さを等しくすることができ、コストダウンを図れ、また、組み立てを容易に行える。
【００３６】
請求項４に係る発明によれば、上流側から流れ下る岩石や流木が衝突する際、衝突力により底面の尖った頂面が設置される地面に食い込み、流下物捕捉体を設置位置から移動するのを阻止することができる。
【００３７】
請求項５に係る発明によれば、高剛性のフレーム部材を使用することができ、高速で流れ下る巨岩に対する耐衝撃性に優れ、しかも軽量であるため、設置現場まで、人手でフレーム部材を搬送することができる。
【００３８】
請求項６に係る発明によれば、流下物捕捉体を構成する全てのフレーム部材に互換性を持たせ、しかも各角部の先端を尖らすことができる。そして、一のフレーム部材に対し、突き合せされる他のフレーム部材の対応する各傾斜面同士を当接させることができ、衝撃力の分散化をより一層図ることができる。
【００３９】
請求項７に係る発明によれば、簡単な構成で全てのフレーム部材を強固に固定することができる。
【００４０】
請求項８に係る発明によれば、流れ下る岩石や流木の衝撃で流下物捕捉体が移動するおそれがある場合には、アンカーボルトを利用することが提案できるが、この場合、底面枠部にアンカーボルト孔を形成するだけで流下物捕捉体をアンカーボルトに固定することができる。
【００４１】
本発明の請求項９に係る治山工法によれば、雨水などにより流れ下る岩石や流木による治山対象が浸食されるのを防止することができる。
【００４２】
請求項１０に係る発明によれば、フィルターとの間に設けた空間に土砂を堆積させて緑化でき、治山を図ることができる。また、流下物捕捉体の下流側にはフィルターにより土砂が堆積するため、流下物捕捉体の下流側が流水により洗掘されるのを防止することができる。
【００４３】
請求項１１に係る発明によれば、並設される流下物捕捉体をボルト等で連結すると、流下物捕捉体同士を剛的に連結でき、ワイヤーやチェーンで連結すると各流下物捕捉体をある程度自由に移動させることができる。
【００４４】
請求項１２に係る発明によれば、広範囲の治山対象に対して対応することができる。
【００４５】
請求項１３に係る発明によれば、第２の流下物捕捉体により岩石や流木の速度を低減し、第１の流下物捕捉体の損傷を軽減することができる。
【００４６】
請求項１４に係る発明によれば、底面枠部における三角形の角部を上流側に向けて設置すれば、岩石等が衝突する際に衝撃速度を緩和させて斜め後方に下流側に容易に移動させることができる。また、底面枠部における三角形の角部を下流側に向けて設置すれば、衝突する岩石等を受け止めて容易に流下物を捕捉することができる。
【００４７】
請求項１５に係る発明によれば、主流下物捕捉体で捕捉できなかった岩石や流木を副流下物捕捉体により捕捉できるので、下流側へ流下する岩石や流木を低減することができる。
【図面の簡単な説明】
【００４８】
【図１】本発明による流下物捕捉体の第１の実施形態を示す正面図。
【図２】図１の流下物捕捉体の上面図。
【図３】（ａ）は図１の流下物捕捉体を構成するフレーム部材の正面図、（ｂ）はフレーム部材の先端部の拡大斜視図である。
【図４】図１に示すフレーム部材をボルト締めにより締結するための締結板を示し、（ａ）は正面図、（ｂ）は（ａ）のＡＡ矢視図。
【図５】図２のＢＢ矢視図。
【図６】アンカーボルトの打ち込み状態を示す図。
【図７】流下物捕捉体をガリーに設置した状態を上流側から見た図。
【図８】図７の側面図。
【図９】第２の実施形態を示す上面図。
【図１０】図９の側面図。
【図１１】第３の実施形態を示す概略平面図。
【図１２】第３の実施形態の変形例を示す概略平面図。
【図１３】第４の実施形態を示す概略平面図。
【図１４】第５の実施形態を示す図。
【図１５】第６の実施形態を示す図。
【発明を実施するための形態】
【００４９】
以下、本発明を図面に示す実施形態に基づいて詳細に説明する。
【００５０】
第１の実施形態
図１は本発明による流下物捕捉体の第１の実施形態を示す正面図、図２は図１の流下物捕捉体の上面図である。図３の（ａ）は図１の流下物捕捉体を構成するフレーム部材の正面図、（ｂ）はフレーム部材の先端部の拡大斜視図である。図４は図１に示すフレーム部材をボルト締めにより締結するための締結板を示し、（ａ）は正面図、（ｂ）は（ａ）のＡＡ矢視図。図５は締結板とボルト・ナットによるフレーム部材の締結状態を示し、図２のＢＢ矢視図である。
【００５１】
本実施形態において、流下物捕捉体１は、６本のフレーム部材１０（第１フレーム部材１１，第２フレーム部材１２，第３フレーム部材１３，第４フレーム部材１４，第５フレーム部材１５，第６フレーム部材１６）と、４つの頂点Ｐ（Ｐ１，Ｐ２，Ｐ３，Ｐ４）で３本のフレーム部材１０の先端部をボルト３１およびナット３２を介して挟持固定する締結板１７と、を有し、組み付け状態で枠形状の正四面体に形成されている。
【００５２】
６本のフレーム部材１０はＩ形鋼により同一サイズ（形状、長さ等）に形成される。したがって、同一長さのフレーム部材１０を多数本用意することで、同一サイズの流下物捕捉体１を多数個形成することができる。
【００５３】
流下物捕捉体１は、４つの頂点Ｐ１〜Ｐ４において、３本のフレーム部材１０の先端部２１が互いに突き合せされた状態で固定される。
【００５４】
図３に示すように、フレーム部材１０を構成するＩ形鋼は、ウエッブ１８の上下にフランジ部１９、２０を形成した形状を有する。フレーム部材１０は、頂部Ｐにおいて、両隣に位置する他の２本のフレーム部材１０と突き合せするために、フレーム部材１０の長さ方向における両側の先端部２１の形状を図３（ｂ）に示すように形成する。
【００５５】
図３（ｂ）において、フレーム部材１０の先端部２１は、ウエッブ１８の先端が所定の角度α１（３５．２６度）に傾斜した第１傾斜辺１８ａに形成されている。このため、上フランジ部１９の先端位置に対し、下フランジ部２０の先端位置は後退した位置に存在している。
【００５６】
上フランジ部１９の先端部２１は、幅方向の中央を通る中心線Ｌ１を中心として左右線対称の第２傾斜辺１９ａ、１９ｂに形成されている。第２傾斜辺１９ａ、１９ｂの頂角α２を４５度としている。下フランジ部２０の先端部２１は、上フランジ部１９の先端部２１と同様に、幅方向の中央を通る中心線Ｌ１を中心として左右線対称で、頂角α２の第３傾斜辺２０ａ、２０ｂに形成されている。
【００５７】
本実施形態において、頂点Ｐで突き合せられる３本のフレーム部材１０は、各第１傾斜辺１８ａが互いに当接する。また、上フランジ部１９の左右の第２傾斜辺１９ａ、１９ｂは、隣接する他のフレーム部材１０の上フランジ部１９の左右の第２傾斜辺１９ａ、１９ｂと当接する。さらに、下フランジ部２０の左右の第３傾斜辺２０ａ、２０ｂは、隣接する他のフレーム部材１０の下フランジ部２０の左右の第３傾斜辺２０ａ、２０ｂと当接する。
【００５８】
本実施形態において、流下物捕捉体１は、各頂点Ｐにおいて、３本のフレーム部材１０の先端部２１のウエッブ１８、上フランジ部１９および下フランジ部２０同士が互いに大きな接触面積を有して当接する。このため、流下物捕捉体１は、フレーム部材１０に外力が作用すると、加わった力を他のフレーム部材１０に分散する。したがって、流下物捕捉体１０を構成するフレーム部材１０が曲がったり、折れたりするといった損傷を防止することができる。
【００５９】
図１、図２、図４、図５に示すように、頂点Ｐにおいて、互いに突き合せされる３本のフレーム部材１０は、隣接するフレーム部材１０の先端部２１同士を締結板１７によりボルト３１とナット３２を用いて締結する。
【００６０】
締結板１７は、厚鋼板により上面略Ｖ字形状に形成される。締結板１７は、中心線Ｌ２を中心として、左右対称に第１締結片１７ａと第２締結片１７ｂを有する。第１締結片１７ａと第２締結片１７ｂのなす頂角α３は、正面視において６０度に設定している。また、締結板１７は、中心線Ｌ２を折り曲げ線として、第１締結片１７ａと第２締結片１７ｂのなす折り曲げ角α４を１２０度に設定している。
【００６１】
第１締結片１７ａと第２締結片１７ｂは、上フランジ部１９と下フランジ部２０との間で、ウエッブ１８に接して隙間なく嵌め込まれる。締結板１７のＶ字尖端は、突き合せ状態にある隣接する２本のフレーム部材１０の先端に合致して配置される。第１締結片１７ａと第２締結片１７ｂには、締結用のボルト３１が挿通される第１ボルト孔１７ｃと第２ボルト孔１７ｄがそれぞれ形成される。
【００６２】
一方、フレーム部材１０の先端部２１のウエッブ１８には、第１ボルト孔１７ｃと第２ボルト孔１７ｄに対応して、第３ボルト孔１８ｂと第４ボルト孔１８ｃが形成されている。
【００６３】
各頂点Ｐにおいて、締結板１７は、３個使用される。図２において、頂点Ｐ４を例にすると、頂点Ｐ４では第４フレーム部材１４と、第５フレーム部材１５と、第６フレーム部材１６との各先端部２１が突き合わされる。第４フレーム部材１４と第５フレー部材１５を第１締結板１７−１により締結し、第４フレーム部材１４と第６フレーム部材１６を第２締結板１７−２により締結し、第５フレーム部材１５と第６フレーム部材１６を第３締結板１７−３により締結する。
【００６４】
第１締結板１７−１の第２締結片１７ｂと第２締結板１７−２の第２締結片１７ａにより第４フレーム部材１４が挟持される。同様に、第２締結板１７−２の第２締結片１７ｂと第３締結板１７−３の第１締結片１７ａにより第６フレーム部材１６が挟持され、第１締結板１７−１の第１締結片１７ａと第３締結板１７−３の第２締結片１７ｂにより第５フレーム部材１５が挟持される。
【００６５】
第４フレーム部材１４と第５フレーム部材１５と第６フレーム部材１６を挟んで対向する各第１締結片１７ａと第２締結片１７ｂの第１ボルト孔１７ｃは、ウエッブ１８の第３ボルト孔１８ｂと共に同じ位置に設けられ、同様に第２ボルト孔１７ｄは第４ボルト孔１８ｃと共に同じ位置に設けられている。
【００６６】
そして、図５に示すように、ボルト３１を例えば第２締結板１７−２の第１締結片１７ａに設けた第１ボルト孔１７ｃから第４フレーム部材１４のウエッブ１８に設けた第３ボルト孔１８ｂを通し、さらに第１締結板１７−１の第２締結片１７ｂに設けた第１ボルト孔１７ｃを貫通してナット３２をねじ込んで締結する。もう一つの第２ボルト孔１７ｄ、第３ボルト孔１８ｃについても同様にボルト３１を挿通してナット３２をねじ込んで締結する。
【００６７】
本実施形態の流下物捕捉体１は、第１フレーム部材１１と第２フレーム部材１２と第３フレーム部材１３とにより形成される正三角形形状の第１面と、第１フレーム部材１１と第４フレーム部材１４と第５フレーム部材１５とにより形成される正三角形形状の第２面と、第２フレーム部材１２と第４フレーム部材１４と第６フレーム部材１６とにより形成される正三角形形状の第３面と、第３フレーム部材１３と第５フレーム部材１５と第６フレーム部材１６とにより形成される正三角形形状の第４面とにより剛構造に構成される。
【００６８】
本実施形態の流下物捕捉体１は、例えば普段は水が流れていないが雨が降ると水が流れ、流れる水と共に下流側に向けて岩石、流木等の流下物が移動する川床に配置され、前記流下物を捕捉する。流下物捕捉体１の第１面（第２面〜第４面）のサイズは、捕捉対象の流下物のサイズに合わせて適宜決定される。流下物捕捉体１は、例えばガリーの川床に配置される。ガリーとは、例えば山肌が荒れた山において、降雨による流水で山頂付近の山肌が浸食されて形成されるＶ字状の溝である。
【００６９】
流下物捕捉体１は、前記第１面から前記第４面のいずれかの面を底面としガリー床等の川床に設置される。流下物捕捉体１を前記第１面から前記第４面の正四面体とし、平坦な地面に設置する場合、底面の全面は地面に接する。
【００７０】
一方、図６に示すように、前記第１面〜前記第４面を形成するフレーム部材１０は、下フランジ部２０が設置面、例えば川床Ｑに対し、所定の角度β（０＜β＜９０）で内側に向けて傾いている。すなわち、下フランジ部２０の先端は、川床Ｑに対して食い込むように傾斜している。
【００７１】
本実施形態において、流下物捕捉体１を川床に設置する際、底面の正三角形を形成するフレーム部材１０の向きが川の流れ方向に対して特定されることはない。例えば、図２において、前記第１面を底面とする場合、第１フレーム部材１１を川の上流側で川の流れ方向に対して直交する方向に向けて設置する第１設置方向が示される。また、第１フレーム部材１１を川の下流側で川の流れ方向に対して直交する方向に向けて設置する（底面の三角形の角部を川の流れ方向の上流側に設置する）第２設置方向、第１フレーム部材１１を前記第１設置方向と前記第２設置方向との間の任意の向きに設置する第３設置方向が示される。
【００７２】
流下物捕捉体１を前記第１設置方向、前記第２設置方向、前記第３設置方向のいずれの向きに設置にしても、水と共に下流側に向けて移動する岩や流木が流下物捕捉体１に衝突した場合、衝突に伴う衝撃力により、流下物捕捉体１を川床に向けて斜め下流側に作用する分力が発生する。このため、流下物捕捉体１は前記分力の作用で川床に押し付けられ、水の流れや岩、流木の移動により流下物捕捉体１が下流側に移動することが殆ど生じない。また、図６に示すように、フレーム部材１０の下エッジ２０の内向き先端が川床Ｑに食い込むため、流下物捕捉体１の下流側への移動がより一層規制される。したがって、流下物捕捉体１を川床に固定するために、川床を掘って鉄筋コンクリートなどの基礎部分を設ける必要はない。
【００７３】
しかし、図６に示すように、川床Ｑにねじ込んだアンカーボルト４１を用いて、フレーム部材１０を川床Ｑに固定することを否定するものではない。図６において、アンカーボルト４１は、不図示の治具を用いて所定の角度で先端部を残して川床Ｑにねじ込まれる。流下物捕捉体１を構成するフレーム部材１０のウエッブ１８には、アンカーボルト４１の先端部が挿通されるアンカー孔１８ｄが形成される。アンカー孔１８ｄは、フレーム部材１０の長手方向両端部に形成される。アンカー孔１８ｄを挿通したアンカーボルト４１の先端部には、ワシャー４２を介装してナット４３が螺着される。
【００７４】
流下物捕捉体１の底面を形成する３本のフレーム部材１０を川床Ｑに固定するアンカーボルト４１は、ねじ切りの要領で川床Ｑにねじ込むだけで良いため、簡単で短時間に川床Ｑに植設される。アンカー孔１８ｄの内径はアンカーボルト４１の軸径と同径としても良いが、長孔にしたり、内径を大きくすることが望ましい。これにより、フレーム部材１０に形成される２つのアンカー孔１８ｄの間隔にずれが生じた場合、植設する２本のアンカーボルト４１の間隔にずれが生じても、これらのずれを吸収してアンカー孔１８ｄにアンカーボルト４１を挿通することができる。
【００７５】
このように、アンカーボルト４１により流下物捕捉体１を川床Ｑに固定することにより、流下物捕捉体１が下流側や川幅方向へ移動したり、旋回することを確実に阻止することができる。なお、アンカー孔１８ｄにワイヤー、ロープや鎖などの一端側を連結し、他端側を離れた位置に植設したアンカーボルトに連結するようにしても良い。植設されるアンカーボルトは、川床や側壁面等に穿設した取り付け孔に接着剤を介して固定されるようにしてもよい。また、アンカーボルトとしては、先端部に頭部を有する構成とし、ワイヤー、ロープや鎖をアンカーボルトの頭部に引っ掛けるようにしても良い。
【００７６】
流下物捕捉体１は、川床Ｑに載置するだけで設置することができる。流下物捕捉体１は、予め組み立てたものを設置場所まで運ぶことができる。また必要な数のフレーム部材１０、締結板１７、ボルト３１、ナット３２、アンカーボルト４１、ナット４３、ワッシャ４２等の部品を設置現場の近くまで運び、そこで組み立てたものを人力で設置現場まで運ぶ。
【００７７】
山の頂上付近に形成されるガリーは、川幅も狭く、谷の深さも浅いため、そこに設置する流下物捕捉体１は小さなサイズが適している。このため、一人または二人程度の作業者が流下物捕捉体１を手で持って設置場所まで運ぶことが可能である。
【００７８】
一方、山の中腹付近に発生するガリーは、川幅も広くなり、谷の深さも深くなる。このため、設置する流下物捕捉体１は大きなサイズとなる。この場合は、例えば設置現場で部品を組み立てて流下物捕捉体１を完成させる。
【００７９】
図７および図８に示すように、流下物捕捉体１は、例えばガリーＧの川床Ｑに設置され、設置場所を流れる岩石、流木を捕捉するが水は通過させる。上流側から水と共に流れる岩石は、流下物捕捉体１の外側でフレーム部材１０に引っ掛かるものもあれば、流下物捕捉体１の中をすり抜けるものもある。また、流下物捕捉体１の中をすり抜けられずに流下物捕捉体１内でフレーム部材１０に引っ掛かるものもある。
【００８０】
引っ掛かる岩石のサイズは、流下物捕捉体１の底面を除く各面の正三角形に形成される枠のサイズよりも大きいもの（以下、大サイズ岩石Ｒとする）もあれば、小さいもの（以下、小サイズ岩石Ｓとする）もある。
【００８１】
大サイズ岩石Ｒが流下物捕捉体１に衝突した場合、大サイズ岩石Ｒは流下物捕捉体１に捕捉されるか、流下物捕捉体１への衝撃反力で跳ね上がり、減速されて下流側に移動する。流下物捕捉体１は、全ての岩石等を捕捉する必要はなく、減速できればその目的を達成する。
【００８２】
一方、例えば流下物捕捉体１のフレーム部材１０に小サイズ岩石Ｓが引っ掛かった場合、引っ掛かった小サイズ岩石Ｓが核となって小岩石Ｓを捕捉する。小岩石Ｓが捕捉されると、その上流側に砂礫が捕捉される。
【００８３】
また、流木Ｗも流下物捕捉体１のフレーム部材１０に引っ掛かって捕捉される。さらに、捕捉された小岩石Ｓと流木Ｗにより小岩石Ｓや流木Ｗが引っ掛かって捕捉される。捕捉された流木Ｗは、そのまま朽ち、岩石はそのまま定置化する。
【００８４】
上記した実施形態では、流下物捕捉体１を構成するフレーム部材１０の全てをＩ型鋼で形成しているが、Ｈ型鋼で形成しても良い。また、流下物捕捉体１のフレーム部材１の外側を向く上フランジ部１９の表面に木材などの衝撃緩衝材を取り付けるようにしても良い。衝撃緩衝材は、岩石等が流下物捕捉体１に衝突する際の衝撃を和らげ、衝突した岩石の跳ね上がりを小さくするため、フレーム部材１０の損傷を防止しつつ捕捉効率を向上させる。
【００８５】
締結板１７をボルト締めするために、フレーム部材１０のウエッブ１８には、フレーム部材１０の長手方向に沿って第３ボルト孔１８ｂと第４ボルト孔１８ｃを形成しているが、第１傾斜辺１８ａに沿って第３ボルト孔１８ｂと第４ボルト孔１８ｃを形成してもよい。したがって、締結板１７に形成する第１ボルト孔１７ｃと第２ボルト孔１７ｄをこれに合わせて形成する。
【００８６】
なお、本実施形態において、流下物捕捉体１は、フレーム部材１０をＩ型鋼、Ｈ型鋼等の鋼材を用いているが、フレーム部材１０を木材により形成しても良い。このような木製流下物捕捉体は、大きな岩石が流下しないリルに設置したり、流速の低い場所に設置することができる。この場合、木製流下物捕捉体には岩石や流木により大きな衝撃が加わらず、フレーム部材が折れにくい。木製の流下物捕捉体は、軽量化できるため、山頂付近まで容易に搬入でき、また設置場所での組み立ても容易に行える。
【００８７】
第２の実施形態
図９及び図１０は本発明の第２の実施形態を示す。
【００８８】
ガリー等の上流側から雨水など共に流れ落ちる岩石、砂礫、流木等は下流側の川床や壁面を削り、川幅を広げると共に、川床を深くする。このため、流下物捕捉体１を山頂や山腹に設置することにより、岩石、砂礫、流木等を捕捉し、ガリー等の谷が大きくなるのを防止する。
【００８９】
しかし、土砂は流下物捕捉体１を通過して下流側に流れ落ちるため、川床に定着しない。川床に土砂が定着すると、種子が付着して緑化が促進されると共に、ガリーの浸食を鈍化させ、さらには縮小することができ、環境保全、治山が図れる。
【００９０】
本第２実施形態は、治山工法の一例を示す。
【００９１】
本実施形態の治山工法は、流下物捕捉体１を第１設置方向（底面の第１フレーム部材１１を川の上流側で川の流れ方向Ｕに対して直交する方向に向けて設置される方向）に向けて設置する。さらに、流下物捕捉体１の下流側に、横長のフィルター６０を配置する。フィルター６０は、流下物捕捉体１との間に、土砂の堆積層を形成する。フィルター６０は、例えば充填材と、充填材を保持する保持部材とを有し、上流側（流下物捕捉体１側）から水と共に流れる土砂を長手方向の外周面で捕捉し、下流側に水を排水する。
【００９２】
フィルター６０の構成としては、予め保持部材に充填材を保持した状態で構成される第１の構成と、設置時には水と土砂を通過させ、経時的に土砂が捕捉されて自然に充填される第２の構成を例示することができる。第１の構成では、設置時から土砂を流下物捕捉体１との間に堆積させることができる。第２の構成では、保持部材のみを設置場所に運べばよいため、設置工事が簡単に済む。
【００９３】
流下物捕捉体１は、流下物捕捉体１の幅方向全長をカバーするように外観が三日月状であって、透水性を有するが土砂を非通過とするフィルター６０を配置する。フィルター６０の両端は例えば図６に示すアンカーボルト４１と同様のアンカーボルトによりそれぞれ固定される。
【００９４】
流下物捕捉体１に対するフィルター６０の設置間隔は特に限定されるものではなく、図９に示すように、近接して設置する場合に限らず、距離を隔てて、設置するようにしても良い。例えば設置するリル、あるいはガリーの深さや幅、傾斜等に応じて適宜設定される。
【００９５】
流下物捕捉体１の下流側に、フィルター６０を設置することで、流下物捕捉体１とフィルター６０との間に土砂の堆積層が形成される。このため、流下物捕捉体１が設置される設置面の洗掘を防止することができ、流下物捕捉体１の設置姿勢、設置位置が安定する。
【００９６】
フィルター６０は、三日月形状の湾曲した内側に流下物捕捉体１の下流側との間に土砂を貯留する空間Ｖを形成する。フィルター６０は、例えば空間Ｖに堆積する土砂の圧力を均一に受けることができるように、湾曲させているが、本発明はこれに限定されるものではなく、直線状に形成した構成としても良い。
【００９７】
水と共に流下物捕捉体１を通過した土砂は、フィルター６０に向けて流れるが、土砂はフィルター６０の前記内側空間Ｖに堆積する。フィルター６０を水のみが通過するため、土砂はフィルター６０の高さまで堆積する。仮にフィルター６０に透水性がない場合には内側空間Ｖ内に水と土砂が貯まり、フィルター６０の高さに水位が達するが土砂はフィルター６０の高さまで達せず、水と共に溢れ出る。このため、土砂の貯留性が悪い。しかし、本実施形態のフィルター６０は透水性を有しているため、土砂はフィルター６０の高さ位置まで達することができる。フィルター６０の内側空間Ｖ内に土砂が堆積すると、草、木等の植物の種子が付着し、植生の回復が図れる。
【００９８】
本実施形態において、流下物捕捉体１を第１設置方向に設置しているが、第１設置方向とは前後方向が逆の第２設置方向に設置しても良い。流下物捕捉体１を第１設置方向に設置するか第２設置方向に設置するかは、岩石や流木などの流下物を効率よく捕捉できる向きであればいずれの向きであっても良い。
【００９９】
フィルター６０は流下物捕捉体１のように、設置後朽ちて自然界に戻る材質で構成することが環境保全の点から望ましい。また、フィルター６０は流下物捕捉体１と同様に、山頂や山腹などの設置現場で組み立てできる構成とすることが望ましい。
【０１００】
フィルター６０として、金網や椰子網等のように経時変化により朽ちる包装資材にスコリア等の塊状多孔質部材等のフィルター基材の中詰め材を多層状態に内包した構成を例示することができる。スコリアは、火山噴出物の塊状多孔質のもので、火山の噴火などで山に堆積しており、スコリアの存在する場所は一般にガリーが形成される傾向がある。このため、包装資材をフィルター６０の設置場所付近まで運べば、フィルター６０の設置場所でフィルター６０を製作することができる。包装資材によるフィルター６０の製作は、拡げた状態の包装資材上にスコリアを広範囲にばら撒き、包装資材を端からロールケーキを作るような要領で巻き上げると多層のロール構造のフィルターが形成される。その際、フィルター６０の長手方向中央部分が膨らみ、端に向うに従って細くなり、かつ自然に長手方向の外側に拡がろうとする応力と、逆に長手方向の内側に向おうとする応力が発生することで、フィルター６０が三日月形状に形成される。勿論、本発明において、フィルター６０の構造はこの構成に限定されることはない。
【０１０１】
第３の実施形態
図１１は第３の実施形態を示す。
【０１０２】
本実施形態の治山工法は、図９に示す流下物捕捉体１とフィルター６０との組み合わせで構成される流下物捕捉システム５０を１単位とし、１単位の流下物捕捉システム５０を上流側から下流側に千鳥状に配置している。
【０１０３】
本実施形態の治山工法は、リル、またはガリー等の谷に適用するだけでなく、例えば草や木が枯れて山肌が荒れた場所に適用することができる。山肌が荒れているが、未だ山腹にリルが発生していない状況において、雨が降ると、小さな流水路がいたるところに発生する。このような小さな流水路が集合して一本の流水路ができると徐々に浸食されてリルが発生し、さらに浸食が進むとガリーが発生する。
【０１０４】
図１１に示すように、山腹に流下物捕捉システム５０を千鳥状に設置すると、前記の小さな流水路が山腹のいずれに発生しても、流下物捕捉体１で岩石や流木を捕捉し、フィルター６０により土砂を堆積させて緑化を図ることができる。したがって、小さな流水路が成長して大きな流水路になり、大きくなった流水路が集合してさらに大きな流水路が成長するのを妨げることができる。
【０１０５】
また、図１１に示す千鳥状の設置において、下流側に設置される流下物捕捉体１のサイズを上流側に設置される流下物捕捉体１のサイズよりも大きくし、下流側で巨岩を捕捉できるようにしても良い。
【０１０６】
流下物捕捉体１は、第１設置方向に向けて設置しているが、図１２に示すように、第２設置方向に向けて設置しても良い。流下物捕捉体１を第２設置方向に向けて設置した場合、上流側には幅方向の中央位置に一本のフレーム部材１０が立設し、これを後方に立設する２本のフレーム部材１０で支持する構成となる。
【０１０７】
このため、前方のフレーム部材１０に衝突して捕捉されなかった岩石Ｓは、斜め後方（下流側）に減速されて移動し易い。そして、斜め後方に設置された流下物捕捉体１に衝突して捕捉されるか、再度跳ね飛ばされて減速される。
【０１０８】
したがって、第２設置方向に流下物捕捉体１を設置した場合には、岩石Ｓの移動速度の減速効果が期待できる。
【０１０９】
流下物捕捉体１は、流下物捕捉体１のフレーム部材１０をＩ型鋼として、高速で移動する巨岩の衝撃に耐えるようにしている。しかし、大きな衝撃が加わるおそれが無いような設置状況では、フレーム部材１０を例えば平板状の鋼板で形成しても良い。
【０１１０】
第４の実施形態
図１３は第４の実施形態を示す。
【０１１１】
図９はフィルター６０の長さを流下物捕捉体１の幅と略同じ長さとしている場合を示している。
【０１１２】
これに対し、本実施形態は、図１３（ａ）に示すようにフィルター６０の長さを流下物捕捉体１の幅よりも長く、あるいは図１３（ｂ）に示すように短くしている。
【０１１３】
第５の実施形態
図１４は第５の実施形態を示す。
【０１１４】
上記した第２の実施形態および第３の実施形態において、流下物捕捉システム５０は、一台の流下物捕捉体１と一つのフィルター６０との組み合わせを一単位としているが、これに限定されるものではない。
【０１１５】
本実施形態は、流下物捕捉システム５０の組み合わせとして、一台の流下物捕捉体１と、一台の流下物捕捉体１の下流側に設置される並設される複数のフィルター６０との組み合わせ、あるいは並設される複数台の流下物捕捉体に対して設置される１または複数の並設されるフィルター６０の組み合わせとしたものである。
【０１１６】
図１４は、一台の流下物捕捉体１に対して複数のフィルター６０を横方向に沿って直列に配置した場合を示す。
【０１１７】
第６の実施形態
図１５は第６の実施形態を示す。
第２の実施形態および第３の実施形態では、流下物捕捉システム５０を千鳥状に配置している。
【０１１８】
これに対し、本実施形態では、図１５に示すように、水の流れ方向に対して直交する方向に複数の流下物捕捉体１を隙間なく設置したものである。
【０１１９】
この場合、流下物捕捉体１を一列または複数列配置しても良い。流下物捕捉体１を複数列に配置した場合、上流側の流下物捕捉体１の列と、下流側の流下物捕捉体１の列とはズレを有して設置してもズレなく設置しても良い。隣接する流下物捕捉体１同士は、ボルト・ナット等の連結部材で連結する。
【０１２０】
また、水の流れ方向に対して直交する方向に複数の流下物捕捉体１を適当な間隔を有して設置し、隣接する流下物捕捉体１同士をチェーンやワイヤー等で連結しても良い。
【０１２１】
図１５（ａ）は、川幅方向に流下物捕捉体１を複数台並列に設置し、フィルター６０を流下物捕捉体１毎に設置した場合を示す。図１５（ｂ）は、並設される複数の流下物捕捉体１に対して一つのフィルター６０を設置した場合を示す。図１５（ｃ）は、並設される流下物捕捉体１の数よりも多いフィルター６０を設置した場合を示す。
【０１２２】
また、図１５（ｄ）に示すように、水の流れ方向に対して直交する方向に複数の流下物捕捉体１を隙間なく、あるいは間隔を有して設置する構成において、隣接する流下物捕捉体１の間の設置面には三角形の領域Ｇが生じる。この三角形の領域Ｇに、流下物捕捉体１の向きとは逆の向きに、流下物捕捉体１´を設置するようにしても良い。
【０１２３】
第７の実施形態
上記した第１〜第６の実施形態において、流下物捕捉体１をＩ形鋼又はＨ形鋼等の鋼材で形成しても、岩石や流木を捕捉する際には大きな衝撃力を受ける。
【０１２４】
そこで、本実施形態では、鋼材製の流下物捕捉体（以下、主流下物捕捉体と称す）１の上流側に、主流下物捕捉体１と同構造の木材製の副流下物捕捉体を設置する。
【０１２５】
本実施形態によれば、副流下物捕捉体１に衝突してから主流下物捕捉体１に岩石や流木が衝突するため、主流下物捕捉体１への衝撃が緩和され、主流下物捕捉体１の損傷が低減する。
【符号の説明】
【０１２６】
１、１´  流下物捕捉体
１０（１１〜１６）  フレーム部材
１７  締結板
１７−１  第１締結板      １７−２  第２締結板
１７−３  第３締結板
１７ａ  第１締結片        １７ｂ  第２締結片
１７ｃ  第１ボルト孔      １７ｄ  第２ボルト孔
１８  ウエッブ
１８ａ  第１傾斜辺
１８ｂ  第３ボルト孔      １８ｃ  第４ボルト孔
１８ｄ  アンカー孔
１９  上フランジ部
２０  下フランジ部
１９ａ、１９ｂ  第２傾斜辺
２０ａ、２０ｂ  第３傾斜辺
２１  先端部
３１  ボルト
３２  ナット
４１  アンカーボルト
４２  ワシャー
４３  ナット
５０  流下物捕捉システム
６０  フィルター
Ｌ１  中心線
Ｌ２  中心線
Ｇ  三角形の領域
Ｐ（Ｐ１，Ｐ２，Ｐ３，Ｐ４）  頂点
Ｑ  川床
Ｒ  大サイズ岩石
Ｓ  小サイズ岩石
Ｗ  流木
Ｖ  内側空間
【図１】
2019138121.tif 000003
【図２】
2019138121.tif 000004
【図３】
2019138121.tif 000005
【図４】
2019138121.tif 000006
【図５】
2019138121.tif 000007
【図６】
2019138121.tif 000008
【図７】
2019138121.tif 000009
【図８】
2019138121.tif 000010
【図９】
2019138121.tif 000011
【図１０】
2019138121.tif 000012
【図１１】
2019138121.tif 000013
【図１２】
2019138121.tif 000014
【図１３】
2019138121.tif 000015
【図１４】
2019138121.tif 000016
【図１５】
2019138121.tif 000017
【手続補正書】
【提出日】平成31年4月16日(2019.4.16)
【手続補正１】
【補正対象書類名】特許請求の範囲
【補正対象項目名】全文
【補正方法】変更
【補正の内容】
【特許請求の範囲】
【請求項１】
地面に載置されて上流側から供給される岩石、流木等の流下物を捕捉する流下物捕捉体であって、
枠形状に形成された四面体により構成され、枠形状の４面のいずれか一面を地面に載置する底面枠部とし、他の３面を前記底面枠部に対して上方に突出した流下物の捕捉面をなす捕捉面枠部とし、
前記枠形状に形成された四面体は、前記底面枠部を構成する３本の底面用のフレーム部材と、前記３面の捕捉面枠部を構成する３本の捕捉面用のフレーム部材とを有し、前記３本の底面用のフレーム部材は、一本の底面用のフレーム部材の両端に他の底面用のフレーム部材の端部同士が突き合せされて枠形状の三角形が形成され、前記３面の捕捉面枠部は、前記各捕捉面用のフレーム部材の一端が前記底面用のフレーム部材の各突き合せされた底面側の突き合せ部に突き合せされ、前記各捕捉面用のフレーム部材の他端が頂部側の突き合せ部に互いに突き合せされていて、
前記底面用のフレーム部材と前記捕捉面用のフレーム部材は、ウエッブの高さ方向上下端に上フランジと下フランジをそれぞれ形成したＩ型鋼またはＨ型鋼により構成したことを特徴とする流下物捕捉体。
【請求項２】
前記四面体は、正四面体であることを特徴とする請求項１に記載の流下物捕捉体。
【請求項３】
前記四面体の頂面を尖らせていることを特徴とする請求項１または２に記載の流下物捕捉体。
【請求項４】
前記底面用のフレーム部材と前記捕捉用のフレーム部材は、両端が同一形状の前記突き合せ部に形成されていて、前記突き合せ部は、前記ウエッブの先端が長手方向に対して第１の傾斜角度に傾斜するウエッブ傾斜辺と、前記上下のフランジ部の先端が幅方向において左右対称に第２の傾斜角度に傾斜するフランジ傾斜辺を有することを特徴とする請求項１から３のいずれかに記載の流下物捕捉体。
【請求項５】
前記突き合せ部は、隣り合う前記フレーム部材同士を連結し、前記フレーム部材を挟持するように設けられた締結板同士をボルト・ナットにより締結することで固定されることを特徴とする請求項１から４のいずれかに記載の流下物捕捉体。
【請求項６】
前記底面枠部には、アンカーボルトの上端部が装入されるアンカーボルト孔が形成されていることを特徴とする請求項１から５のいずれかに記載の流下物捕捉体。
【請求項７】
治山対象に、請求項１から６のいずれかに記載の流下物捕捉体を一又は幅方向に複数設置したことを特徴とする治山工法。
【請求項８】
前記流下物捕捉体の下流側に、前記一又は並設される複数の流下物捕捉体に対して、水を通過させるが土砂を非通過とするフィルターを一又は並設して複数設置し、前記一又は並設される複数のフィルターと前記一又は複数の流下物捕捉体との間に非通過の土砂を堆積させる空間を形成したことを特徴とする請求項７に記載の治山工法。
【請求項９】
前記並設される複数の流下物捕捉体は、隣接する流下物捕捉体同士を連結部材で連結したことを特徴とする請求項７または８に記載の治山工法。
【請求項１０】
前記一つの流下物捕捉体又は並設される複数の前記流下物捕捉体と、前記流下物捕捉体に対応して設置される一又は複数のフィルターとを一組の流下物捕捉システムとし、前記流下物捕捉システムを上流側から下流側に向けて複数設置したことを特徴とする請求項８または９に記載の治山工法。
【請求項１１】
請求項７から１０のいずれかに記載の流下物捕捉体を第１の流下物捕捉体とし、前記第１の流下物捕捉体の上流側に、請求項１から３のいずれかに記載の流下物捕捉体を木製とした第２の流下物捕捉体を設置したことを特徴とする請求項７から１０のいずれかに記載の治山工法。
【請求項１２】
前記流下物捕捉体は、底面枠部における三角形の角部を上流側または下流側に向けて設置したことを特徴とする請求項７から１１のいずれかに記載の治山工法。
【請求項１３】
並設される複数の前記流下物捕捉体を主流下物捕捉体とし、隣接する前記主流下物捕捉体の間に形成される領域に、前記流下物捕捉体と同構造の副流下物捕捉体を設置したことを特徴とする請求項７から１２のいずれかに記載の治山工法。
【手続補正２】
【補正対象書類名】明細書
【補正対象項目名】００１７
【補正方法】変更
【補正の内容】
【００１７】
本発明の第１の目的を実現する流下物捕捉体の第１の構成は、地面に載置されて上流側から供給される岩石、流木等の流下物を捕捉する流下物捕捉体に関する。この流下物捕捉体は、枠形状に形成された四面体により構成され、枠形状の４面のいずれか一面を地面に載置する底面枠部とし、他の３面を前記底面枠部に対して上方に突出した流下物の捕捉面をなす捕捉面枠部とする。
【手続補正３】
【補正対象書類名】明細書
【補正対象項目名】００１８
【補正方法】変更
【補正の内容】
【００１８】
そして、前記枠形状に形成された四面体は、前記底面枠部を構成する３本の底面用のフレーム部材と、前記３面の捕捉面枠部を構成する３本の捕捉面用のフレーム部材とを有し、前記３本の底面用のフレーム部材は、一本の底面用のフレーム部材の両端に他の底面用のフレーム部材の端部同士が突き合せされて枠形状の三角形が形成され、前記３面の捕捉面枠部は、前記各捕捉面用のフレーム部材の一端が前記底面用のフレーム部材の各突き合せされた底面側の突き合せ部に突き合せされ、前記各捕捉面用のフレーム部材の他端が頂部側の突き合せ部に互いに突き合せされていて、前記底面用のフレーム部材と前記捕捉面用のフレーム部材は、ウエブの高さ方向上下端に上フランジと下フランジをそれぞれ形成したＩ型鋼またはＨ型鋼により構成したことを特徴とする。
【手続補正４】
【補正対象書類名】明細書
【補正対象項目名】００１９
【補正方法】変更
【補正の内容】
【００１９】
本発明の第１の目的を実現する流下物捕捉体の第２の構成は、上記した構成において、前記四面体は、正四面体であることを特徴とする。
【手続補正５】
【補正対象書類名】明細書
【補正対象項目名】００２０
【補正方法】変更
【補正の内容】
【００２０】
本発明の第１の目的を実現する流下物捕捉体の第３の構成は、上記したいずれかの構成において、前記四面体の頂面を尖らせていることを特徴とする。
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】変更
【補正の内容】
【００２２】
本発明の第１の目的を実現する流下物捕捉体の第４の構成は、上記したいずれかの構成において、前記底面用のフレーム部材と前記捕捉用のフレーム部材は、両端が同一形状の前記突き合せ部に形成されていて、前記突き合せ部は、前記ウエッブの先端が長手方向に対して第１の傾斜角度に傾斜するウエッブ傾斜辺と、前記上下のフランジ部の先端が幅方向において左右対称に第２の傾斜角度に傾斜するフランジ傾斜辺を有することを特徴とする。
【手続補正８】
【補正対象書類名】明細書
【補正対象項目名】００２３
【補正方法】変更
【補正の内容】
【００２３】
本発明の第１の目的を実現する流下物捕捉体の第５の構成は、上記したいずれかの構成において、前記突き合せ部は、隣り合う前記フレーム部材同士を連結し、前記フレーム部材を挟持するように設けられた締結板同士をボルト・ナットにより締結することで固定されることを特徴とする。
【手続補正９】
【補正対象書類名】明細書
【補正対象項目名】００２４
【補正方法】変更
【補正の内容】
【００２４】
本発明の第１の目的を実現する流下物捕捉体の第６の構成は、上記したいずれかの構成において、前記底面枠部には、アンカーボルトの上端部が装入されるアンカーボルト孔が形成されていることを特徴とする。
【手続補正１０】
【補正対象書類名】明細書
【補正対象項目名】００２５
【補正方法】変更
【補正の内容】
【００２５】
本発明の第２の目的を実現する治山工法の第１の構成は、治山対象に、上記したいずれかの構成の流下物捕捉体を一又は幅方向に複数設置したことを特徴とする。
【手続補正１１】
【補正対象書類名】明細書
【補正対象項目名】００２６
【補正方法】変更
【補正の内容】
【００２６】
本発明の第２の目的を実現する治山工法の第２の構成は、上記した治山工法の第１の構成において、前記流下物捕捉体の下流側に、前記一又は並設される複数の流下物捕捉体に対して、水を通過させるが土砂を非通過とするフィルターを一又は並設して複数設置し、前記一又は並設される複数のフィルターと前記一又は複数の流下物捕捉体との間に非通過の土砂を堆積させる空間を形成したことを特徴とする。
【手続補正１２】
【補正対象書類名】明細書
【補正対象項目名】００２９
【補正方法】変更
【補正の内容】
【００２９】
本発明の第２の目的を実現する治山工法の第５の構成は、上記した治山工法のいずれかの構成において、上記治山工法のいずれかの流下物捕捉体を第１の流下物捕捉体とし、前記第１の流下物捕捉体の上流側に、上記流下物捕捉体の第１から第３のいずれかの構成の流下物捕捉体を木製とした第２の流下物捕捉体を設置したことを特徴とする。
【手続補正１３】
【補正対象書類名】明細書
【補正対象項目名】００３４
【補正方法】変更
【補正の内容】
【００３４】
また、本発明によれば、６本のフレーム部材で流下物捕捉体を構成することができる。また、一のフレーム部材の端部は、隣接するフレーム部材の端部と付き合わされているので、流下物捕捉体に巨岩が衝突しても各フレーム部材に衝撃力が略均等に分散するため、流下物捕捉体の破損を招くことなく岩石の捕捉が行える。さらに、高剛性のフレーム部材を使用するため、高速で流れ下る巨岩に対する耐衝撃性に優れ、しかも軽量であるため、設置現場まで、人手でフレーム部材を搬送することができる。
【手続補正１４】
【補正対象書類名】明細書
【補正対象項目名】００３５
【補正方法】変更
【補正の内容】
【００３５】
請求項２に係る発明によれば、流下物捕捉体を正四面体とすることで、４面のいずれの面も底面とすることができ、設置する際の面の向きを間違えることがない。また、各面を構成するフレーム部材の長さを等しくすることができ、コストダウンを図れ、また、組み立てを容易に行える。
【手続補正１５】
【補正対象書類名】明細書
【補正対象項目名】００３６
【補正方法】変更
【補正の内容】
【００３６】
請求項３に係る発明によれば、上流側から流れ下る岩石や流木が衝突する際、衝突力により底面の尖った頂面が設置される地面に食い込み、流下物捕捉体を設置位置から移動するのを阻止することができる。
【手続補正１６】
【補正対象書類名】明細書
【補正対象項目名】００３７
【補正方法】削除
【補正の内容】
【手続補正１７】
【補正対象書類名】明細書
【補正対象項目名】００３８
【補正方法】変更
【補正の内容】
【００３８】
請求項４に係る発明によれば、流下物捕捉体を構成する全てのフレーム部材に互換性を持たせ、しかも各角部の先端を尖らすことができる。そして、一のフレーム部材に対し、突き合せされる他のフレーム部材の対応する各傾斜面同士を当接させることができ、衝撃力の分散化をより一層図ることができる。
【手続補正１８】
【補正対象書類名】明細書
【補正対象項目名】００３９
【補正方法】変更
【補正の内容】
【００３９】
請求項５に係る発明によれば、簡単な構成で全てのフレーム部材を強固に固定することができる。
【手続補正１９】
【補正対象書類名】明細書
【補正対象項目名】００４０
【補正方法】変更
【補正の内容】
【００４０】
請求項６に係る発明によれば、流れ下る岩石や流木の衝撃で流下物捕捉体が移動するおそれがある場合には、アンカーボルトを利用することが提案できるが、この場合、底面枠部にアンカーボルト孔を形成するだけで流下物捕捉体をアンカーボルトに固定することができる。
【手続補正２０】
【補正対象書類名】明細書
【補正対象項目名】００４１
【補正方法】変更
【補正の内容】
【００４１】
本発明の請求項７に係る治山工法によれば、雨水などにより流れ下る岩石や流木による治山対象が浸食されるのを防止することができる。
【手続補正２１】
【補正対象書類名】明細書
【補正対象項目名】００４２
【補正方法】変更
【補正の内容】
【００４２】
請求項８に係る発明によれば、フィルターとの間に設けた空間に土砂を堆積させて緑化でき、治山を図ることができる。また、流下物捕捉体の下流側にはフィルターにより土砂が堆積するため、流下物捕捉体の下流側が流水により洗掘されるのを防止することができる。
【手続補正２２】
【補正対象書類名】明細書
【補正対象項目名】００４３
【補正方法】変更
【補正の内容】
【００４３】
請求項９に係る発明によれば、並設される流下物捕捉体をボルト等で連結すると、流下物捕捉体同士を剛的に連結でき、ワイヤーやチェーンで連結すると各流下物捕捉体をある程度自由に移動させることができる。
【手続補正２３】
【補正対象書類名】明細書
【補正対象項目名】００４４
【補正方法】変更
【補正の内容】
【００４４】
請求項１０に係る発明によれば、広範囲の治山対象に対して対応することができる。
【手続補正２４】
【補正対象書類名】明細書
【補正対象項目名】００４５
【補正方法】変更
【補正の内容】
【００４５】
請求項１１に係る発明によれば、第２の流下物捕捉体により岩石や流木の速度を低減し、第１の流下物捕捉体の損傷を軽減することができる。
【手続補正２５】
【補正対象書類名】明細書
【補正対象項目名】００４６
【補正方法】変更
【補正の内容】
【００４６】
請求項１２に係る発明によれば、底面枠部における三角形の角部を上流側に向けて設置すれば、岩石等が衝突する際に衝撃速度を緩和させて斜め後方に下流側に容易に移動させることができる。また、底面枠部における三角形の角部を下流側に向けて設置すれば、衝突する岩石等を受け止めて容易に流下物を捕捉することができる。
【手続補正２６】
【補正対象書類名】明細書
【補正対象項目名】００４７
【補正方法】変更
【補正の内容】
【００４７】
請求項１３に係る発明によれば、主流下物捕捉体で捕捉できなかった岩石や流木を副流下物捕捉体により捕捉できるので、下流側へ流下する岩石や流木を低減することができる。